【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
アルカリ金属原子が封入されている原子セルと、
前記原子セル内の前記アルカリ金属原子を励起する光を出射する光源と、
前記原子セルを透過した前記光を検出する光検出部と、
少なくとも前記光源を収容する内部空間を有するパッケージと、
前記パッケージの内面と前記光源との間に配置され、波長４μｍの電磁波に対する反射率が５０％以上である反射部と、を有することを特徴とする量子干渉装置。
【請求項２】
前記反射部は、前記光源の外表面に設けられている請求項１に記載の量子干渉装置。
【請求項３】
前記反射部は、前記パッケージの内面に設けられている請求項１に記載の量子干渉装置。
【請求項４】
前記反射部は、前記光源に対して前記光が出射される側に設けられている請求項１ないし３のいずれか１項に記載の量子干渉装置。
【請求項５】
前記光源を支持する支持部を有し、
前記反射部は、前記支持部に対して前記光源側に設けられている請求項１ないし３のいずれか１項に記載の量子干渉装置。
【請求項６】
前記原子セルおよび前記光源を一括して前記パッケージに対して支持している支持部材を有し、
前記支持部材の熱伝導率は、０．１Ｗ・ｍ−１・Ｋ−１以上４０．０Ｗ・ｍ−１・Ｋ−１以下である請求項１ないし５のいずれか１項に記載の量子干渉装置。
【請求項７】
請求項１ないし６のいずれか１項に記載の量子干渉装置を備えることを特徴とする原子発振器。
【請求項８】
請求項１ないし７のいずれか１項に記載の量子干渉装置を備えることを特徴とする電子機器。
【手続補正２】
【補正対象書類名】明細書
【補正対象項目名】発明の名称
【補正方法】変更
【補正の内容】
【発明の名称】量子干渉装置、原子発振器および電子機器
【手続補正３】
【補正対象書類名】明細書
【補正対象項目名】０００３
【補正方法】変更
【補正の内容】
【０００３】
このような発振器として、特許文献１には、ＶＣＳＥＬ（垂直共振器面発光レーザー）、セルおよび光検出器と、これらを収容するパッケージと、を備えた原子時計が開示されている。また、特許文献１に係る原子時計は、ＶＣＳＥＬの温度を一定に保つため、ＶＣＳＥＬに熱エネルギーを提供するヒーターブロックと、ＶＣＳＥＬを囲む等温ケージとを有している。
【手続補正４】
【補正対象書類名】明細書
【補正対象項目名】００４６
【補正方法】変更
【補正の内容】
【００４６】
［光源］
光源２２は、原子セル２１中のアルカリ金属原子を励起する光ＬＬを出射する。光源２２は、光ＬＬを出射する発光部２２２が原子セル２１側を向くように基板２８によって支持されている。
【手続補正５】
【補正対象書類名】明細書
【補正対象項目名】０１３３
【補正方法】変更
【補正の内容】
【０１３３】
図８に示すように、本実施形態の原子発振器１Ｄは、原子セルユニット２Ｄと、光検出部２４と、パッケージ３と、支持部材８３とを備えている。また、原子セルユニット２Ｄは、原子セル２１と、光源２２と、光学部品２３１、２３２と、ヒーター２５と、温度センサー２６と、等温ケージ８５と、支持部としての基板２８と、複数の柱部２８０と、を含み、これらがユニット化されている。
【手続補正６】
【補正対象書類名】明細書
【補正対象項目名】０１３５
【補正方法】変更
【補正の内容】
【０１３５】
図８に示す等温ケージ８５は、箱状をなし、光源２２、ヒーター２５および温度センサー２６を囲う空間Ｓ３を有するように基板２８上に設けられている。
【手続補正７】
【補正対象書類名】明細書
【補正対象項目名】０１３６
【補正方法】変更
【補正の内容】
【０１３６】
また、等温ケージ８５は、上方に開口した開口部８５１を有する。この開口部８５１を光ＬＬが通過するように、光源２２は等温ケージ８５内に配置されている。なお、開口部８５１に光透過性を有する部材を配置してもよい。
【手続補正８】
【補正対象書類名】明細書
【補正対象項目名】０１３７
【補正方法】変更
【補正の内容】
【０１３７】
このような構成の等温ケージ８５は、ヒーター２５と同じ温度になるように構成されている。これにより、光源２２とヒーター２５との温度差を低減することができ、光源２２の温度制御を高精度に行うことができる。
【手続補正９】
【補正対象書類名】明細書
【補正対象項目名】０１３８
【補正方法】変更
【補正の内容】
【０１３８】
等温ケージ８５の構成材料としては、特に限定されないが、例えば、金属材料を用いることが好ましい。これにより、等温ケージ８５とヒーター２５とを同じ温度にし易く、よって、光源２２とヒーター２５との温度差をより低減することができる。
【手続補正１０】
【補正対象書類名】明細書
【補正対象項目名】０１３９
【補正方法】変更
【補正の内容】
【０１３９】
また、等温ケージ８５の外形の幅をＷ１（図示せず）とし、ヒーター２５の外形の幅をＷ２（図示せず）としたとき、Ｗ１／Ｗ２は、２以上１０以下であることが好ましく、４以上８以下であることがより好ましい。また、等温ケージ８５の外形の高さをＴ１（図示せず）とし、ヒーター２５の外形の高さをＴ２（図示せず）としたとき、Ｔ１／Ｔ２は、２以上１０以下であることが好ましく、４以上８以下であることがより好ましい。これにより、等温ケージ８５内に光源２２、ヒーター２５および温度センサー２６を配置するスペースを十分に確保しつつ、等温ケージ８５、光源２２およびヒーター２５の温度差をより低減することができ、等温ケージ８５、光源２２およびヒーター２５を熱的に同一とみなすことができる。
【手続補正１１】
【補正対象書類名】明細書
【補正対象項目名】０１４２
【補正方法】変更
【補正の内容】
【０１４２】
図８に示すように、反射部７５１、７５２は、パッケージ３の内面の等温ケージ８５から見える部分に設けられている。具体的には、反射部７５１は、基体３１の上面に設けられている。一方、反射部７５２は、蓋体３２の内面の下側に設けられている。ここで、等温ケージ８５と光源２２とは熱的に同一であるとみなすことができるため、上記のように等温ケージ８５から見える部分に反射部７５１、７５２が設けられていることで、等温ケージ８５の輻射熱を反射させることができる。その結果、光源２２の温度変化を抑制する効果をより顕著に発揮することができる。
【手続補正１２】
【補正対象書類名】明細書
【補正対象項目名】０１５８
【補正方法】変更
【補正の内容】
【０１５８】
１…原子発振器、１Ａ…原子発振器、１Ｂ…原子発振器、１Ｃ…原子発振器、１Ｄ…原子発振器、２…原子セルユニット、２Ｂ…原子セルユニット、２Ｄ…原子セルユニット、３…パッケージ、５…支持部材、６…制御部、８…支持部材、１０…パッケージ部、２０…スペーサー、２１…原子セル、２２…光源、２４…光検出部、２５…ヒーター、２６…温度センサー、２７…コイル、２８…基板、２９…接続部材、３０…接着剤、３１…基体、３２…蓋体、３４…端子、５１…脚部、５２…連結部、５３…柱部、６１…光源制御部、６２…温度制御部、６３…磁場制御部、７２…反射部、７４…反射部、８２…脚部、８３…支持部材、８５…等温ケージ、１００…測位システム、２００…ＧＰＳ衛星、２０１…基板、２０２…枠部、２０３…孔、２１１…胴体部、２１２…光透過部、２１３…光透過部、２１４…貫通孔、２２２…発光部、２３１…光学部品、２３２…光学部品、２４０…接続部材、２８０…柱部、２９１…接続部材、２９２…接続部材、３００…基地局装置、３０１…アンテナ、３０２…受信装置、３０３…アンテナ、３０４…送信装置、４００…ＧＰＳ受信装置、４０１…アンテナ、４０２…衛星受信部、４０３…アンテナ、４０４…基地局受信部、７１１…反射部、７１２…反射部、７３１…反射部、７３２…反射部、７５１…反射部、７５２…反射部、８１１…枠体、８１２…シート部材、８１３…シート部材、８３１…脚部、８５１…開口部、１５００…移動体、１５０１…車体、１５０２…車輪、ＬＬ…光、Ｓ…内部空間、Ｓ１…内部空間、Ｓ２…空間、Ｓ３…空間、ａ…光軸